(57)【特許請求の範囲】
【請求項１】
異なるカード形状の第１、第２のメモリを着脱自在に格納する格納部を備えた電子機器において、
前記格納部が有する格納領域は、前記第１のメモリを格納する第１の格納領域と、前記第２のメモリを格納する第２の格納領域とによって成り、該第１の格納領域と該第２の格納領域とが一部重なるように形成するとともに、
前記格納部において前記第１の格納領域と前記第２の格納領域とを分割する板状部材を移動可能に設け、
前記板状部材は、前記第１のメモリを前記第１の格納領域に格納する際には、該第１のメモリの進入によって該第１の格納領域を形成するように移動され、前記第２のメモリを前記第２の格納領域に格納する際には、該第２のメモリの進入によって該第２の格納領域を形成するように移動されることを特徴とする電子機器。
【発明の詳細な説明】
【０００１】
【発明の属する技術分野】
本発明は、規格の異なる２種類のメモリを着脱自在に格納し、当該格納された２種類のメモリに対してデータの記録が可能な電子機器に関する。
【０００２】
【従来の技術】
近年、ＰＤＡ（Personal Digital Assistant）やデジタルカメラ等の小型携帯機器が広く普及しつつある。このような小型携帯機器は着脱自在な半導体メモリを備え、操作者による指示に応じて所定のデータを記録したり、読み出したりする。
【０００３】
上記半導体メモリは、カード形状を呈している為、一般にメモリカードと称され、例えば、フラッシュメモリをパッケージして接続端子をカード表面に露出させたスマートメディア、メモリコントローラを内蔵する事により異なった機種間での互換性を実現したＣＦ（Compact Flash；登録商標）カードやメモリスティック（登録商標）、又は、著作権保護機能を備えたＳＤ（Secure Digital；登録商標）カード等、複数の規格（寸法形状を含む）がある。
なお、以下において、カードの寸法形状をメモリカードの規格に含めて説明する。
【０００４】
最近、上記規格の異なる２種類のメモリカードに対してデータの記録や読み出しが可能な小型携帯機器が実現されている。このような小型携帯機器は各メモリカードの規格に適合したカードスロットを個別に２つ備え、各メモリカードはそれぞれに適合したカードスロットに格納されてデータの記録又は読み出しが行われる。
【０００５】
【発明が解決しようとする課題】
しかし、上記従来の小型携帯機器には、次のような問題点がある。すなわち、一般に小型携帯機器は、携帯しやすいように薄くて軽量であることが好ましいが、上記したような規格の異なる２種類のカードスロットを個別に備えた場合、小型携帯機器において２種類のカードスロットを配置するために、少なくともメモリカード２枚分の面積が必要となるか、或いは、少なくともメモリカード２枚分の厚さが必要となる。それ故、小型携帯機器において２種類のメモリカードを使用可能にした場合には、小型化及び薄型化の点で上述した体積的な制限を受けることになる。
【０００６】
本発明の課題は、２種類のメモリを着脱自在に格納し、当該格納された２種類のメモリに対してデータの記録が可能な電子機器において、２種類のメモリを使用可能とした場合でも、カードスロットを２種類のメモリの厚さの合計値よりも薄くして薄型化を図り、携帯性を向上させることである。
【０００７】
【課題を解決するための手段】
以上の課題を解決するため、請求項１記載の発明は、
異なるカード形状の第１、第２のメモリを着脱自在に格納する格納部を備えた電子機器において、
前記格納部が有する格納領域は、前記第１のメモリを格納する第１の格納領域と、前記第２のメモリを格納する第２の格納領域とによって成り、該第１の格納領域と該第２の格納領域とが一部重なるように形成するとともに、
前記格納部において前記第１の格納領域と前記第２の格納領域とを分割する板状部材を移動可能に設け、
前記板状部材は、前記第１のメモリを前記第１の格納領域に格納する際には、該第１のメモリの進入によって該第１の格納領域を形成するように移動され、前記第２のメモリを前記第２の格納領域に格納する際には、該第２のメモリの進入によって該第２の格納領域を形成するように移動されることを特徴とする。
【０００８】
従って、カードスロット（格納部）の厚みを第１のメモリの厚さと第２のメモリの厚さとを合計したものよりも薄くすることが可能となるので、カードスロットの薄型化が可能となり、携帯性の向上が図られる。
また、第１、第２の格納領域には、それぞれ第１、第２のメモリと電気的に接続する為の接続端子が設けられているが、第２の格納領域の接続端子は、第１のメモリの格納時には板状部材によって保護されるので、第１のメモリの挿入時に誤って第１のメモリと接触して磨耗又は損傷するといった事態が回避でき、また、第１の格納領域の接続端子は、第２のメモリの格納時には板状部材によって保護されるので、第２のメモリの挿入時に誤って第２のメモリと接触して磨耗又は損傷するといった事態が回避できる。
【００１４】
【発明の実施の形態】
以下、本発明を適用した好ましい実施例を、図１〜図５を参照して詳細に説明する。
【００１５】
（第１の実施の形態）
まず、本発明を適用したデジタルカメラ１００の構成を説明する。図１は、デジタルカメラ１００の外観を示す斜視図であり、図２は、デジタルカメラ１００の内部構成を示すブロック図である。
【００１６】
図１に示すように、デジタルカメラ１００は、筐体１００ａの表面部に撮影レンズ１等を備え、更に、筐体１００ａの上部側面には、撮影指示を行う為のシャッターボタン８ａと、メモリカードＡ又はメモリカードＢを格納してデータの記録又は読み出しを行う為のカードスロット１０（後に詳述する）と、メモリカードＡ又はＢの着脱時に開閉されるカードスロット開閉扉１００ｂとを備える。また、筐体１００ａの上記表面部に対向する裏面部には、後述する画像表示装置９が備える図示しないＬＣＤ（Liquid Crystal Display）等が配設され、撮像レンズ１を介して取り込まれた撮像画像が表示される。
【００１７】
なお、本実施の形態のデジタルカメラ１００においては、メモリカードＡをメモリスティック（厚さ２．８ｍｍ、幅２１．５ｍｍ、長さ５０ｍｍ）に、またメモリカードＢをＳＤカード（厚さ２．１ｍｍ、幅２４ｍｍ、長さ３２ｍｍ）に想定して説明するが、他の規格のメモリカードを想定しても良い。また、図１〜図５に示すメモリカードＡ、Ｂの寸法形状は、図面簡略化の為、又は各部機能を強調する為、実際の寸法形状に則したようには記載されていない。
【００１８】
デジタルカメラ１００の内部構成は、図２に示すように、撮影レンズ１、ＣＣＤ２、Ａ／Ｄ変換回路３、画像用メモリ４、制御部５、ＲＯＭ６、ＲＡＭ７、操作部８、画像表示装置９、及び、カードスロット１０等により構成される。
【００１９】
撮影レンズ１は、被写体の光画像を結像し、ＣＣＤ２は、撮影レンズ１によって受光面上に結像された光画像信号を電気画像信号（アナログ信号）に変換する。Ａ／Ｄ変換回路３は、ＣＣＤ２から入力されるアナログ信号をデジタル信号に変換し、画像用メモリ４は、Ａ／Ｄ変換回路３を介して入力されるデジタル画像データを一時格納する。
【００２０】
制御部５は、電源（図示略）が投入されると、デジタルカメラ１００の動作を制御する主制御プログラムを後述するＲＯＭ６から読み出して実行し、更に、操作部８を介して入力された指示信号に応じて、この主制御プログラムに係る各種撮影モード処理等を実行する。また、制御部５は、これらプログラムの実行に際して生じる各種データを図示しない内蔵メモリの所定記憶エリア内に記憶する。
【００２１】
制御部５は、図示しないプロセス回路及び圧縮回路を備える。プロセス回路は、Ａ／Ｄ変換回路３から入力されたデジタル画像信号を輝度信号、色差信号、及び色信号等のビデオ信号に変換し、圧縮回路は、上記プロセス回路から出力されたビデオ信号をＪＰＥＧ（Joint Photographic Experts Group）等の圧縮フォーマットに基づいて圧縮する。
【００２２】
ＲＯＭ（Read Only Memory）６は、制御部５によって実行される各種制御プログラムや当該プログラムの実行時に必要な各種データ等を予め格納する。ＲＡＭ（Random Access Memory）７は、図示しないプログラム格納領域、及びデータ格納領域を備える。制御部５は上記各種処理プログラムを実行する際、当該プログラムを上記プログラム格納領域に展開すると共に、上記各種処理プログラムの実行時に生じるデータを上記データ格納領域に一時的に格納する。
【００２３】
操作部８は、撮影を指示するシャッターボタン８ａ等を備え、このシャッターボタン８ａが押下されると撮影を指示する旨の信号が制御部５に出力される。また、画像表示装置９はＬＣＤ等により構成され、制御部５により入力された表示信号に従って画面表示を行う。また、画像表示装置９は、ＣＣＤ２により取り込まれた撮像画像を連続的に表示するファインダとしての機能を有する。
【００２４】
カードスロット１０は、メモリカードＡ又はＢを格納可能であり、メモリカードＡが装着された際にメモリカードＡの接続端子Ａ１に接続してデータの記録又は読み出しを行うための接続端子（図示略）と、メモリカードＢが装着された際にメモリカードＢの接続端子Ｂ１に接続してデータの記録又は読み出しを行うための接続端子（図示略）とを各々備える。
【００２５】
ここで、図３〜図５を参照してカードスロット１０を詳細に説明する。図３は、カードスロット１０が有するメモリカードの格納領域を示す図であり、図４は、カードスロット１０の内部構造を透視的に示す斜視図であり、図５は、カードスロット１０の内部構造を示す平面図である。
【００２６】
図３に示すように、カードスロット１０には、メモリカードＡと略同一形状を有してメモリカードＡを格納する格納領域１１ａ（厚さＸ１＝略２．８ｍｍ、幅Ｙ１＝略２１．５ｍｍ）と、メモリカードＢと略同一形状を有してメモリカードＢを格納する格納領域１１ｂ（厚さＸ２＝略２．１ｍｍ、幅Ｙ２＝略２４ｍｍ）とが設けられ、更に格納領域１１ａと格納領域１１ｂとは、互いに共有する（重なる）共有領域１１ｃ（厚さＸ３、幅Ｙ１）が存在するように配置されている。
【００２７】
そして、図１や図３に図示されるように、カードスロット１０には、メモリカードＡ、Ｂを挿入するための凸形状の挿入口１１が設けられている。
【００２８】
カードスロット１０の厚さＸは、メモリカードＡの厚さＸ１とメモリカードＢの厚さＸ２との合計値Ｘ１＋Ｘ２から共有領域１１ｃの厚さＸ３を差し引いたものである。すなわち、カードスロット１０は、メモリカードＡの厚さＸ１とメモリカードＢの厚さＸ２の合計よりも薄く、従って、メモリカードＡとメモリカードＢとを同時に格納できない寸法形状となっている。
【００２９】
また、上記したように、カードスロット１０には、メモリカードＡが格納される際に接続端子Ａ１と接続してデータの送受信を行う為の図示しない接続端子が格納領域１１ａに配設され、メモリカードＢが格納される際に接続端子Ｂ１と接続してデータの送受信を行う為の図示しない接続端子が格納領域１１ｂに配設される。これら格納領域１１ａ、１１ｂに配設された各接続端子は、何れも制御部５に接続している。
【００３０】
カードスロット１０は、図４に示すように、格納領域１１ｂ内部の左右両側にメモリカードＢが挿入された場合に作動するカード識別用キー１２ａ、１２ｂをそれぞれ備え、挿入口１１に連通する中央部奥手には誤挿入防止キー１２ｃを備える。
【００３１】
カード識別用キー１２ａは、スライドガイド１２１ａ、１２２ａによって案内される方向（メモリカード挿入方向に対して略垂直方向）にスライド自在であり、カード識別用キー１２ｂは、スライドガイド１２１ｂ、１２２ｂによって案内される方向にスライド自在である。また、カード識別用キー１２ａ、１２ｂは、コイルばね１３ａ、１３ｂに各々接続し、共に誤挿入防止キー１２ｃを挟む方向（或いは別の表現を用いれば、カード識別用キー１２ａ、１２ｂが互いに近づく方向）に付勢されている。
【００３２】
更に、カード識別用キー１２ａ、１２ｂには、誤挿入防止キー１２ｃを支持して格納領域１１ａを形成するための支持部１２３ａ、１２３ｂが各々設けられている。
【００３３】
誤挿入防止キー１２ｃは、図中符号Ｃに示すカードスロット１０の底面との境界周辺部において弾性的に屈曲可能となっている（すなわち、誤挿入防止キー１２ｃに外力が加えられた場合に屈曲する）が、外力が加えられていない場合には、支持部１２３ａ、１２３ｂよりも若干上方に位置するように形成されている。従って、誤挿入防止キー１２ｃに外力が加えられていない場合には、コイルばね１３ａ、１３ｂにより付勢されたカード識別用キー１２ａ、１２ｂの支持部１２３ａ、１２３ｂは、誤挿入防止キー１２ｃの下に入り込んで誤挿入防止キー１２ｃの支持が可能となる。
【００３４】
また、図５に示すように、格納領域１１ａの幅Ｙ１（すなわち、メモリカードＡの幅）は、誤挿入防止キー１２ｃの幅よりも狭いので、格納領域１１ａは、カード識別用キー１２ａとカード識別用キー１２ｂとに挟まれた空間領域（すなわち、誤挿入防止キー１２ｃ上方に形成された空間領域）内に形成されている。
【００３５】
従って、メモリカードＡが格納領域１１ａに格納される際には、メモリカードＡは、誤挿入防止キー１２ｃがメモリカードＡの支持台となって格納領域１１ａ内に格納される。その結果、接続端子Ａ１と格納領域１１ａに設けられた上記接続端子とが互いに接続される。この際、誤挿入防止キー１２ｃは、支持部１２３ａ、１２３ｂにより支持されているため、メモリカードＡの挿入によって押し下げられることはなく、それ故、メモリカードＡは、確実に格納領域１１ａ内に格納される。
【００３６】
また、メモリカードＢが格納領域１１ｂに格納される際には、メモリカードＢの一方の先端部Ｄ１が、まず、カード識別用キー１２ｂの側面部Ｄ２に接触する。次いでメモリカードＢの進入に伴い、カード識別用キー１２ｂ及び支持部１２３ｂは、コイルばね１３ｂの付勢に逆らってスライドガイド１２１ｂ、１２２ｂによって案内される方向（外方向）に退避する。その後、メモリカードＢの他方の先端部Ｅ１は、カード識別用キー１２ａの側面部Ｅ２に接触する。次いでメモリカードＢの進入に伴って、カード識別用キー１２ａ及び支持部１２３ａは、コイルばね１３ａの付勢に逆らってスライドガイド１２１ａ、１２２ａにより案内される方向（外方向）に退避する。
【００３７】
メモリカードＢが更に進入すると、この進入によって誤挿入防止キー１２ｃを押し下げようとする外力が誤挿入防止キー１２ｃに作用する。この時、支持部１２３ａ、１２３ｂは退避しているので、誤挿入防止キー１２ｃは、当該外力の作用に応じて屈曲して押し下げられ、その結果、メモリカードＢは格納領域１１ｂ内の奥まで更に進入することができ、接続端子Ｂ１と格納領域１１ｂに配設された上記接続端子とは互いに接続する。
【００３８】
すなわちカードスロット１０は、メモリカードＡを格納領域１１ａ内に格納してデータの記録又は読み出しを可能とし、また、メモリカードＢを格納領域１１ｂ内に格納してデータの記録又は読み出しを可能とする。
【００３９】
更に、カードスロット１０は、メモリカードＡがメモリカードＢの格納領域１１ｂに誤って格納されるのを防止すると共に、メモリカードＢが格納領域１１ａに誤って格納されるのを防止する防止機能を有する。以下、当該防止機能について説明する。
【００４０】
まず、メモリカードＢの幅Ｙ２が格納領域１１ａの幅Ｙ１より大きいので、メモリカードＢが格納領域１１ａに誤って格納されるという事態が回避される。
【００４１】
また、メモリカードＡが格納領域１１ｂに格納される際、メモリカードＡは誤挿入防止キー１２ｃに突き当たるまで格納領域１１ａ内を進入できる（メモリカードＡは、カード識別用キー１２ａ、１２ｂに接触しない、或いは、カード識別用キー１２ａ、１２ｂに同時に接触しない）。しかし、メモリカードＡはカード識別用キー１２ａ、１２ｂに接触しない（或いは、カード識別用キー１２ａ、１２ｂに同時に接触しない）ので支持部１２３ａ、１２３ｂを同時に誤挿入防止キー１２ｃから退避させることができなくなる。従ってメモリカードＡは誤挿入防止キー１２ｃを押し下げることができずに突き当たる為、メモリカードＡが格納領域１１ｂに誤って格納されるという事態が回避される。
【００４２】
従って、カードスロット１０によって請求項１又は２に記載の格納部が有する機能が実現され、図３に示す形状を有する挿入口１１とカード識別用キー１２ａ、１２ｂとによってメモリの寸法形状の違いを識別する機能が実現され、誤挿入防止キー１２ｃによって請求項２に記載の誤進入防止手段が有する機能が実現される。
【００４３】
以上説明したように、本第１の実施の形態におけるデジタルカメラ１００のカードスロット１０は、メモリカードＡを格納する格納領域１１ａ、メモリカードＢを格納する格納領域１１ｂ、及び、格納領域１１ａと格納領域１１ｂとが互いに共有する共有領域１１ｃとを備え、カードスロット１０の厚みＸは、メモリカードＡの厚み（格納領域１１ａの厚み）Ｘ１とメモリカードＢの厚み（格納領域１１ｂの厚み）Ｘ２とを合計した厚みよりも共有領域１１ｃの厚みＸ３だけ薄くなっている。
また、メモリカードＡとメモリカードＢとは互いに異なる寸法形状を有するが、カードスロット１０は、この寸法形状の違いに基づいて、メモリカードＡがメモリカードＢの格納領域１１ｂに誤って格納される、或いは、メモリカードＢがメモリカードＡの格納領域１１ａに誤って格納されるという事態を回避するための機能（防止機能）を有する。
すなわち、ユーザがメモリカードＢをメモリカードＡの格納領域１１ａに格納しようとしても、格納領域１１ａの幅Ｙ１がメモリカードＢの幅Ｙ２よりも小さい為、メモリカードＢを格納領域１１ａに格納することは不可能となる。
また、ユーザがメモリカードＡをメモリカードＢの格納領域１１ｂに格納しようとしても、メモリカードＡはカード識別用キー１２ａ、１２ｂに接触しない（或いは、カード識別用キー１２ａ、１２ｂに同時に接触しない）ので支持部１２３ａ、１２３ｂを同時に誤挿入防止キー１２ｃから退避させることができない。従ってメモリカードＡは誤挿入防止キー１２ｃを押し下げることができずに突き当たる為、メモリカードＡを格納領域１１ｂに格納することは不可能となる。
【００４４】
従って、カードスロット１０の厚みＸがメモリカードＡの厚みＸ１とメモリカードＢの厚みＸ２とを合計した厚さよりも薄いので、デジタルカメラ１００の機器本体の厚さを更に薄くでき、携帯性の向上が図られる。
更に、メモリカードＡ、Ｂが誤って格納されるのを防止する機能によって、メモリカードＡ、Ｂを格納領域１１ａ、１１ｂにそれぞれ確実に格納できるので、メモリカードＡ、Ｂが誤った格納領域に格納されて、メモリカードＡ、Ｂ本体や、メモリカードＡ、Ｂが各々備える接続端子Ａ１、Ｂ１、又は、カードスロット１０内に設けられた接続端子等が破損するという事態が回避できる。
更に、カードスロット１０は、メモリカードＡ、Ｂを同時に格納できない構造となっているため、ＵＩ（User Interface）の簡素化が図られる。
【００４５】
（第２の実施の形態）
次に、図６を参照して、第２の実施の形態のデジタルカメラ２００を詳細に説明する。
デジタルカメラ２００は、第１の実施の形態のデジタルカメラ１００のカードスロット１０に替えてカードスロット２０を備え、他の構成はデジタルカメラ１００と同一である。従って、本第２の実施の形態のデジタルカメラ２００の説明では、カードスロット２０についてのみ詳細に説明し、他の構成についてはデジタルカメラ１００と同一符号を付して詳細な説明を省略する（図１、図２参照）。
【００４６】
また、カードスロット２０に格納されるメモリカードＡ、Ｂは、第１の実施の形態におけるメモリカードＡ、Ｂとそれぞれ同一であるとする。すなわち、メモリカードＡをメモリスティックに、メモリカードＢをＳＤカードに想定して説明する。なお、メモリカードＡ、Ｂを他の規格によるメモリカードとしても良い。
【００４７】
図６は、デジタルカメラ２００が備えるカードスロット２０の内部構成を示す断面図である。
図６に示すように、カードスロット２０内部には、板状部材２２がカードスロット２０内の中央部付近にコイルばね２３ａ、２３ｂにより支持される。また、カードスロット２０内部は、この板状部材２２を境に上方側Ｇ１と下方側Ｇ２とに仕切られる。また板状部材２２は、挿入口２１より若干外部に突出して設けられている。
【００４８】
メモリカードＡは上方側Ｇ１に挿入され、メモリカードＢは下方側Ｇ２に挿入される。すなわち、カードスロット１０内部において、メモリカードＡの接続端子Ａ１と接続してデータの送受信を行うための接続端子２４ａは、板状部材２２の上方側Ｇ１に設けられ、また、メモリカードＢの接続端子Ｂ１と接続してデータの送受信を行うための接続端子２４ｂは、板状部材２２の下方側Ｇ２に設けられて、共に制御部５に接続している。
【００４９】
カードスロット２０内部の厚さ（高さ）Ｘ４は、メモリカードＡの厚さＸ１とメモリカードＢの厚さＸ２とを合計したものよりも薄くなっている。すなわち、メモリカードＡがカードスロット２０に格納された際には、下方側Ｇ２にメモリカードＢを格納する為のスペースが形成されず、メモリカードＢがカードスロット１０に格納された際には、上方側Ｇ１にメモリカードＡを格納するスペースが形成されない。
【００５０】
上記した構成を有するカードスロット２０にメモリカードＡを格納する際、ユーザは、メモリカードＡの先端部を上記板状部材２２の突出部表面に当てて板状部材２２を押し下げ、メモリカードＡを上方側Ｇ１に挿入する。更にユーザは、接続端子Ａ１と接続端子２４ａとが確実に接続するまで、メモリカードＡを更に奥まで押し込んでカードスロット２０内に格納する。
【００５１】
また、カードスロット２０にメモリカードＢを格納する際、ユーザは、メモリカードＢの先端部を上記板状部材２２の突出部裏面に当てて板状部材２２を押し上げ、メモリカードＢを下方側Ｇ２に挿入する。更にユーザは、接続端子Ｂ１と接続端子２４ｂとが確実に接続するまで、メモリカードＢを更に奥まで押し込んでカードスロット２０内に格納する。
【００５２】
以上説明したように、本第２の実施の形態におけるデジタルカメラ２００のカードスロット２０は、メモリカードＡを格納する際には、板状部材２２が押し下げられてメモリカードＡの格納スペースが形成され、メモリカードＢを格納する際には、板状部材２２が押し上げられてメモリカードＢの格納スペースが形成される。また、メモリカードＡの格納スペースがカードスロット２０内に形成された際には、メモリカードＢを格納するスペースが形成されず、メモリカードＢの格納スペースが形成された際には、メモリカードＡを格納するスペースが形成されない。
【００５３】
従って、カードスロット２０の厚さＸ４は、メモリカードＡの厚さＸ１とメモリカードＢの厚さＸ２とを合計した厚さよりも薄いので、デジタルカメラ２００の機器本体の厚さを更に薄くでき、携帯性の向上が図られる。
更に、接続端子２４ｂは、メモリカードＡの格納時には板状部材２２によって保護されるので、メモリカードＡの挿入時に誤ってメモリカードＡと接触して磨耗又は損傷するといった事態が回避できる。また、接続端子２４ａは、メモリカードＢの格納時には板状部材２２によって保護されるので、メモリカードＢの挿入時に誤ってメモリカードＢと接触して磨耗又は損傷するといった事態が回避できる。
更に、カードスロット１０は、メモリカードＡ、Ｂを同時に格納できない構造となっているため、ＵＩの簡素化が図られる。
【００５４】
なお、本第１及び第２の実施の形態における記述は、本発明に係る電子機器の具体例を示すものであり、これに限定されるものではない。本第１の実施の形態のデジタルカメラ１００及び本第２の実施の形態のデジタルカメラ２００の細部構成、詳細動作は、本発明の趣旨を逸脱しない範囲で適宜変更可能である。
【００５５】
例えば、本発明を適用した電子機器の具体例としては、デジタルカメラに限らず、他の電子機器、例えば、ＰＤＡ等の小型携帯端末であっても良い。
【００５６】
また、メモリカードＡ、Ｂを、それぞれメモリスティック、ＳＤカードに想定して説明したが、これに限らず、互いに規格が異なるメモリカードであれば、コンパクトフラッシュ（登録商標）カードや、スマートメディア等であっても良い。
【００５７】
【発明の効果】
請求項１記載の発明によれば、カードスロット（格納部）の厚みを第１のメモリの厚さと第２のメモリの厚さとを合計したものよりも薄くすることが可能となるので、カードスロットの薄型化が可能となり、携帯性の向上が図られる。
【００５９】
また、第１、第２の格納領域には、それぞれ第１、第２のメモリと電気的に接続する為の接続端子が設けられているが、第２の格納領域の接続端子は、第１のメモリの格納時には板状部材によって保護されるので、第１のメモリの挿入時に誤って第１のメモリと接触して磨耗又は損傷するといった事態が回避でき、また、第１の格納領域の接続端子は、第２のメモリの格納時には板状部材によって保護されるので、第２のメモリの挿入時に誤って第２のメモリと接触して磨耗又は損傷するといった事態が回避できる。
【図面の簡単な説明】
【図１】本第１の実施の形態におけるデジタルカメラ１００の外観を示す斜視図。
【図２】本第１の実施の形態におけるデジタルカメラ１００の内部構成を示すブロック図である
【図３】図１に示すカードスロット１０が有するメモリカードの格納領域を示す図である。
【図４】図１に示すカードスロット１０の内部構造を透視的に示す斜視図である。
【図５】図１に示すカードスロット１０の内部構造を示す平面図である。
【図６】本第２の実施の形態におけるデジタルカメラ２００が備えるカードスロットの内部構成を示す断面図である。
【符号の説明】
１００  デジタルカメラ
１００ａ  筐体
１００ｂ  カードスロット開閉扉
１  撮影レンズ
２  ＣＣＤ
３  Ａ／Ｄ変換回路
４  画像用メモリ
５  制御部
６  ＲＯＭ
７  ＲＡＭ
８  操作部
８ａ  シャッターボタン
９  画像表示装置
１０  カードスロット
１１  挿入口
１２ａ、１２ｂ  カード識別用キー
１２ｃ  誤挿入防止キー
１２１ａ、１２２ａ、１２１ｂ、１２２ｂ  スライドガイド
１２３ａ、１２３ｂ  支持部
１３ａ、１３ｂ  コイルばね
２００  デジタルカメラ
２０  カードスロット
２１  挿入口
２２  板状部材
２３ａ、２３ｂ  コイルばね
２４ａ、２４ｂ  接続端子
【図１】
0003932872.tif 000002
【図２】
0003932872.tif 000003
【図３】
0003932872.tif 000004
【図４】
0003932872.tif 000005
【図５】
0003932872.tif 000006
【図６】
0003932872.tif 000007